(57)【特許請求の範囲】
【請求項１】
複数の部屋を有する船内に複数の乗員が乗船する環境下における固定電話システムであって、
前記複数の乗員それぞれに固有の乗員情報が予め設定され、
各々が前記複数の部屋のいずれかに配置される複数の固定電話と、
前記複数の固定電話と通信可能に接続され、前記複数の固定電話のうち発信元固定電話と発信先固定電話との間を通話可能に接続する電話交換処理を実行する交換機とを備え、
前記複数の固定電話はそれぞれ、
操作部による発信操作によって、通話相手の乗員を指示する発信先乗員情報を前記交換機に送信することにより、自身を前記発信元固定電話として通話要求処理を実行する電話通信処理部を含み、
前記電話通信処理部は、
所定の操作によって得られた、登録または解除を要求する乗員を指示する更新用乗員情報を前記交換機に送信することにより、データベース更新要求処理をさらに実行し、
前記交換機は、
前記複数の乗員と前記複数の固定電話との対応関係を示す乗員・固定電話情報を格納する第１のデータベースと、
前記発信元固定電話から前記発信先乗員情報を受け、前記第１のデータベースを参照して、前記発信先乗員情報が指示する乗員に対応する固定電話を前記発信先固定電話として認識し、前記電話交換処理を実行する電話交換処理部と、
前記更新用乗員情報に基づき、前記更新用乗員情報の指示する乗員と、前記更新用乗員情報の発信元となる固定電話との対応づけの登録処理または解除処理を実行して前記乗員・固定電話情報の内容を更新するデータベース更新部とを含み、
前記電話通信処理部は、
前記操作部による選択操作によって得られた、発信履歴の情報提供を要求する乗員を指示する選択乗員情報を前記交換機に送信することにより、発信履歴取得要求処理をさらに実行し、
前記交換機は、
複数の乗員それぞれの発信記録を示す乗員別・発信記録情報を格納する第２のデータベースと、
前記選択乗員情報を受け、前記第２のデータベースを参照して、前記選択乗員情報が指示する乗員に対応する発信履歴を指示する情報を含む選択乗員表示情報を取得し、前記選択乗員表示情報を発信元の固定電話に送信するデータベース情報抽出部とをさらに含み、
前記選択乗員表示情報は前記選択乗員情報が指示する乗員に対応する発信履歴に含まれる固定電話の状態をさらに含み、
前記電話通信処理部は、
前記選択乗員表示情報に基づき、発信履歴を所定の表示部上に表示する表示処理をさらに実行する、
固定電話システム。
【請求項２】
請求項１記載の固定電話システムであって、
前記操作部による入力操作によって、発信元となる乗員を指示する入力乗員情報及び更新種別を指示する更新識別情報を取得し、
前記所定の操作は前記操作部による入力操作を含み、
前記更新用乗員情報は前記入力乗員情報及び前記更新識別情報を含み、
前記データベース更新部は、前記更新識別情報に基づき、前記登録処理及び前記解除処理のうち一方を実行する、
固定電話システム。
【請求項３】
請求項１または請求項２記載の固定電話システムであって、
前記複数の乗員に対応した複数の乗員識別カードが準備され、前記複数の乗員識別カードそれぞれには、前記複数の乗員のうち対応する乗員を指示する情報が事前登録乗員情報として予め登録されており、
前記固定電話システムは、
前記複数の固定電話に対応して設けられる複数のカード読取部をさらに備え、
前記複数のカード読取部はそれぞれ
前記乗員識別カードから前記事前登録乗員情報を読み取る読取動作を実行し、前記読取動作は動作内容が異なる第１及び第２の読取動作を含み、
前記電話通信処理部は、対応する前記カード読取部に接続され、
前記所定の操作は、前記対応するカード読取部を用いた前記第１及び第２の読取動作を含み、
前記更新用乗員情報は前記対応するカード読取部による前記読取動作によって読み取った前記事前登録乗員情報及び更新識別情報を含み、前記更新識別情報は前記第１の読取動作時に登録を指示し、前記第２の読取動作時に解除を指示する、
固定電話システム。
【発明の詳細な説明】
【技術分野】
【０００１】
この発明は、複数の部屋を有する船内に複数の乗員が乗船する環境下における固定電話システムに関する。
【背景技術】
【０００２】
従来、複数の部屋を有する船内における固定電話システムは、複数の部屋それぞれに固定電話が配置されるのが一般的であった。そして、通話を行う際、発信時に通話相手ではなく固定電話（電話番号）宛に発信していた。このため、本来の通話相手が当該固定電話の近く、すなわち、当該固定電話は配置された部屋に居るか分からない状態で発信することになり、発信先の固定電話に着信したものの通話相手が不在ということや、話中状態のため通話相手の所在が不明ということが起こっていた。
【０００３】
なお、最近では、交換機及び電話機のＩＰ(Internet Protocol)化が進んでおり、電話機毎の電源状態や話中状態を交換機及び発信元の電話機が認識可能となってきたことから、話中状態の電話機への発信を防ぐことが可能となってきた。ＩＰ−ＰＢＸ（Private Branch eXchange）を利用した内線電話システムとして例えば、特許文献１が開示されている。
【先行技術文献】
【特許文献】
【０００４】
【特許文献１】特開２００９−４４３６０号公報
【発明の概要】
【発明が解決しようとする課題】
【０００５】
従来の船内で利用される固定電話システムでは、発信時に通話相手ではなく固定電話宛に電話番号を入力する等により発信するため、本来の通話相手が当該固定電話の近くに居るか否か分からない状態で発信するという問題点があった。
【０００６】
すなわち、通話の発信元となる船内の乗員は、発信先の乗員が複数の部屋のいずれに存在するかを常に認識し、当該部屋に存在する固定電話宛に発信する必要があるため、通話を所望する乗員に掛かる負担が大きいという問題点があった。
【０００７】
また、船内で利用される従来の固定電話システムでは、電話帳機能又は短縮ダイヤル登録機能が固定電話単位の登録であり、使用する固定電話が不定の場合、個人対応のきめ細やかな対応ができないため、個人毎に発信頻度の高い通話相手の状態（所在、話中など）を画面に表示するといったサポート機能が実現できないという問題点があった。
【０００８】
この発明は上記問題点を解決するためになされたもので、発信先の乗員が複数の部屋のいずれに存在するかを認識する必要なく、通話を所望する乗員が通話を行うことができる固定電話システムを得ることを目的とする。
【課題を解決するための手段】
【０００９】
この発明に係る請求項１記載の固定電話システムは、複数の部屋を有する船内に複数の乗員が乗船する環境下における固定電話システムであって、前記複数の乗員それぞれに固有の乗員情報が予め設定され、各々が前記複数の部屋のいずれかに配置される複数の固定電話と、前記複数の固定電話と通信可能に接続され、前記複数の固定電話のうち発信元固定電話と発信先固定電話との間を通話可能に接続する電話交換処理を実行する交換機とを備え、前記複数の固定電話はそれぞれ、操作部による発信操作によって、通話相手の乗員を指示する発信先乗員情報を前記交換機に送信することにより、自身を前記発信元固定電話として通話要求処理を実行する電話通信処理部を含み、前記電話通信処理部は、所定の操作によって得られた、登録または解除を要求する乗員を指示する更新用乗員情報を前記交換機に送信することにより、データベース更新要求処理をさらに実行し、前記交換機は、前記複数の乗員と前記複数の固定電話との対応関係を示す乗員・固定電話情報を格納する第１のデータベースと、前記発信元固定電話から前記発信先乗員情報を受け、前記第１のデータベースを参照して、前記発信先乗員情報が指示する乗員に対応する固定電話を前記発信先固定電話として認識し、前記電話交換処理を実行する電話交換処理部と、前記更新用乗員情報に基づき、前記更新用乗員情報の指示する乗員と、前記更新用乗員情報の発信元となる固定電話との対応づけの登録処理または解除処理を実行して前記乗員・固定電話情報の内容を更新するデータベース更新部とを含み、前記電話通信処理部は、前記操作部による選択操作によって得られた、発信履歴の情報提供を要求する乗員を指示する選択乗員情報を前記交換機に送信することにより、発信履歴取得要求処理をさらに実行し、前記交換機は、複数の乗員それぞれの発信記録を示す乗員別・発信記録情報を格納する第２のデータベースと、前記選択乗員情報を受け、前記第２のデータベースを参照して、前記選択乗員情報が指示する乗員に対応する発信履歴を指示する情報を含む選択乗員表示情報を取得し、前記選択乗員表示情報を発信元の固定電話に送信するデータベース情報抽出部とをさらに含み、前記選択乗員表示情報は前記選択乗員情報が指示する乗員に対応する発信履歴に含まれる固定電話の状態をさらに含み、前記電話通信処理部は、前記選択乗員表示情報に基づき、発信履歴を所定の表示部上に表示する表示処理をさらに実行する。
【発明の効果】
【００１０】
請求項１記載の本願発明の固定電話システムにおいて、通話相手の乗員を指示する発信先乗員情報を固定電話から交換機に送信することにより、交換器は電話交換処理を実行することができるため、通話の発信元となる乗員は、通話相手となる発信先の乗員が複数の部屋のいずれに存在するかを認識する必要なく、通話を行うことができる。
【００１１】
したがって、請求項１記載の本願発明の固定電話システムは、船内において複数の部屋間を移動する度合の高い複数の乗員間における通話を、通話を所望する乗員に負担を掛けることなく比較的簡単に実現することができる効果を奏する。
【００１２】
さらに、データベース更新部は、所定の操作によって得られた更新用乗員情報に基づき、乗員・固定電話情報を更新するため、常に最新の内容に乗員・固定電話情報を維持することにより、交換機は発信先固定電話を誤ることなく精度の高い電話交換処理を実行することができる。
【図面の簡単な説明】
【００１３】
【図１】この発明の実施の形態である固定電話システムを有する船舶の内部構成を模式的に示す説明図である。
【図２】図１で示した交換機の内部構成を示すブロック図である。
【図３】図１で示した固定電話の内部構成を示すブロック図である。
【図４】本実施の形態の固定電話システムの利用例を示す説明図である。
【発明を実施するための形態】
【００１４】
（構成）
図１はこの発明の実施の形態である固定電話システムを有する船舶１の内部構成を模式的に示す説明図である。
【００１５】
同図に示すように、船舶１内に固定電話４１〜４７、船内ネットワーク２及び船内ネットワーク２を有する固定電話システムが構築されている。すなわち、部屋Ｒ１〜Ｒ７（複数の部屋）を有する船舶１（船）内に複数の乗員が乗船する環境下における固定電話システムが構築されている。そして、複数の乗員それぞれに、識別番号等の固有の乗員情報が予め設定されている。
【００１６】
部屋Ｒ１〜Ｒ７には固定電話４１〜４７（複数の固定電話）が配置されている。具体的には、各固定電話４ｉ（ｉ＝１〜７のいずれか）は対応する部屋Ｒｉ内に配置されている。すなわち、固定電話４１〜４７は各々が部屋Ｒ１〜Ｒ７のいずれかに配置されている。
【００１７】
そして、交換機３は、固定電話４１〜４７と船内ネットワーク２を介して通話を含む通信が可能に接続される。交換機３は、固定電話４１〜４７のうち発信元固定電話と発信先固定電話との間を通話可能に接続する電話交換処理を実行する。
【００１８】
図２は交換機３の内部構成を示すブロック図であり、図３は固定電話４ｉの内部構成を示すブロック図である。なお、固定電話４１〜４７間において内部構成は同一である。以下、図２及び図３を参照して、交換機３及び固定電話４ｉの内部構成の詳細を説明する。
【００１９】
以降、固定電話４１〜４７において、通話を行う一対の固定電話に関し、発信元固定電話４ｘ及び発信先固定電話４ｙと呼び、更新用乗員情報ＲＣの発信元である固定電話を登録要求元固定電話４ｒと呼び、選択乗員情報ＥＣの発信元の固定電話を表示要求元固定電話４ｐと呼ぶ。すなわち、“ｘ”，“ｙ”，“ｒ”，“ｐ”はそれぞれ１〜７のいずれかである。ただし、“ｘ”と“ｙ”とは異なる。
【００２０】
図２に示すように、交換機３は、電話交換実行部１０、電話交換制御部３１、データベース更新部３２、データベース情報抽出部３３、乗員−固定電話データベースＤＢ１及び乗員−発信記録データベースＤＢ２を主要構成として有する。
【００２１】
乗員−固定電話データベースＤＢ１（第１のデータベース）は複数の乗員と固定電話４１〜４７（複数の固定電話）との対応関係を示す乗員・固定電話情報Ｄ１を格納している。例えば、乗員Ａ，乗員Ｂ及び乗員Ｃが部屋Ｒ３（内部に固定電話４３が配置）内に存在する場合、乗員・固定電話情報Ｄ１には、（乗員Ａ，固定電話４３）（乗員Ｂ，固定電話４３）（乗員Ｃ，固定電話４３）の対応づけを示す情報が含まれる。
【００２２】
電話交換制御部３１は発信元固定電話４ｘから船内ネットワーク２を介して、通話相手である発信先の乗員を指示する発信先乗員情報ＴＣを受け、乗員−固定電話データベースＤＢ１（内の乗員・固定電話情報Ｄ１）を参照して、発信先乗員情報ＴＣが指示する乗員に対応する固定電話である発信先固定電話４ｙを指示する固定電話情報Ｋ１を受ける。そして、電話交換制御部３１は、発信先乗員情報ＴＣ及び固定電話情報Ｋ１に基づき、発信元固定電話４ｘと発信先固定電話４ｙとの間を通話可能に接続する電話交換処理を電話交換実行部１０に実行させる。
【００２３】
このように、電話交換実行部１０及び電話交換制御部３１により、発信元固定電話４ｘから発信先乗員情報ＴＣを受け、乗員−固定電話データベースＤＢ１を参照して、発信先乗員情報ＴＣが指示する乗員に対応する固定電話を発信先固定電話４ｙとして認識し、電話交換処理を実行する電話交換処理部が構成される。
【００２４】
データベース更新部３２は、更新用乗員情報ＲＣが指示する乗員ＣＷ及び更新種別に基づき、更新用乗員情報ＲＣの発信元である登録要求元固定電話４ｒとを対応づけを（新規）登録する登録処理、または既に登録された対応づけを解除する解除処理を実行して乗員・固定電話情報Ｄ１の内容を更新する。
【００２５】
例えば、更新用乗員情報ＲＣが乗員Ａ及び「登録」（更新種別）を指示し、登録要求元固定電話４ｒが固定電話４６である場合、乗員Ａと固定電話４６との対応づけを新たに登録する登録処理を実行して乗員・固定電話情報Ｄ１を更新する。
【００２６】
また、更新用乗員情報ＲＣが乗員Ｂ及び「解除」（更新種別）を指示し、登録要求元固定電話４ｒが固定電話４６である場合、既に設定されていた乗員Ａと固定電話４６との対応づけを解除する解除処理を実行して乗員・固定電話情報Ｄ１を更新する。
【００２７】
乗員−発信記録データベースＤＢ２（第２のデータベース）は、複数の乗員それぞれの発信記録を示す乗員別・発信記録情報Ｄ２を格納する。
【００２８】
電話交換制御部３１は固定電話４１〜４７それぞれの状態情報（話中、発信可を示す情報）を電話交換実行部１０から取得し、固定電話４１〜４７の状態情報である固定電話状態情報Ｄ４０をデータベース情報抽出部３３に出力する。
【００２９】
データベース情報抽出部３３は、選択乗員情報ＥＣを受け、乗員−発信記録データベースＤＢ２（内の乗員別・発信記録情報Ｄ２）を参照して、選択乗員情報ＥＣが指示する乗員に対応する発信履歴を指示する選択乗員発信履歴情報Ｄ２ｐを乗員−発信記録データベースＤＢ２から取得する。
【００３０】
そして、データベース情報抽出部３３は、選択乗員発信履歴情報Ｄ２ｐ及び固定電話状態情報Ｄ４０を含む選択乗員表示情報ＰＣを発信元の固定電話である表示要求元固定電話４ｐに送信する。なお、選択乗員表示情報ＰＣ内に選択乗員の発信先別の発信頻度を示す情報を含めても良い。
【００３１】
また、発信先乗員情報ＴＣ内には発信元固定電話４ｘ及び発信元の乗員を指示する情報が含まれており、電話交換制御部３１は発信先乗員情報ＴＣから発信先乗員の情報を認識し、発信元乗員と発信先乗員とを指示する情報を含む電話交換制御情報Ｄ３１をデータベース更新部３２に出力する。
【００３２】
データベース更新部３２は電話交換制御情報Ｄ３１に基づき、乗員−発信記録データベースＤＢ２内の乗員別・発信記録情報Ｄ２の内容を更新する。
【００３３】
例えば、乗員Ａが発信元となり乗員Ｂが発信先となる電話交換を行った場合、乗員別・発信記録情報Ｄ２における乗員Ａの発信記録内容が更新され、乗員Ｂと通話を行った発信記録を追加して乗員別・発信記録情報Ｄ２を更新する。
【００３４】
図３に示すように、固定電話４ｉは電話通信部１１、操作部１２、表示部１３、ＩＣカード読取部１４ｉ、電話通信制御部３５、乗員情報送信部３６及び表示制御部３７を主要構成として有する。
【００３５】
電話通信制御部３５は、操作部１２による発信操作によって通話相手の乗員（発信先乗員）を指示する発信先乗員情報ＴＣを認識し、発信先乗員情報ＴＣを電話通信部１１から交換機３に送信させることにより、固定電話４ｉを発信元固定電話４ｘとして通話要求処理を実行する。
【００３６】
すなわち、電話通信部１１及び電話通信制御部３５により、操作部１２による発信操作によって、発信先乗員情報ＴＣを交換機３に送信することにより、自身を発信元固定電話４ｘとして通話要求処理を実行する電話通信処理部が構成される。
【００３７】
さらに、操作部１２による入力操作（所定の操作）によって、更新を要求する乗員の乗員番号を指示する入力乗員情報Ｄ１２ａ及び更新種別（（乗員と固定電話との）対応づけを新規登録あるいは、既に登録された上記対応づけの解除の種別）を指示する更新識別情報Ｄ１２ｂを得ることができる。
【００３８】
乗員情報送信部３６は、入力乗員情報Ｄ１２ａ及び更新識別情報Ｄ１２ｂを受け、入力乗員情報Ｄ１２ａ及び更新識別情報Ｄ１２ｂを含む情報を更新用乗員情報ＲＣとして電話通信制御部３５に出力する。この際、更新用乗員情報ＲＣに固定電話４ｉ自身を指示する登録要求元固定電話４ｒを指示する情報が含まれる。
【００３９】
電話通信制御部３５は更新用乗員情報ＲＣを電話通信部１１から交換機３に送信させることにより、データベース更新要求処理を実行する。
【００４０】
すなわち、電話通信部１１及び電話通信制御部３５に加え、乗員情報送信部３６をさらに有する電話通信処理部は、操作部１２による入力操作（所定の操作）によって得られた、更新用乗員情報ＲＣを交換機３に送信することにより、データベース更新要求処理をさらに実行する。
【００４１】
したがって、交換機３のデータベース更新部３２は、更新用乗員情報ＲＣ内の更新識別情報Ｄ１２ｂに基づき、登録処理及び解除処理のうち一方を実行して乗員・固定電話情報Ｄ１を更新することができる。
【００４２】
表示制御部３７は操作部１２による選択操作によって、発信履歴の情報提供を要求する乗員（選択乗員）を指示する選択乗員情報ＥＣを得る処理を実行し、選択乗員情報ＥＣを電話通信制御部３５に出力する。電話通信制御部３５は選択乗員情報ＥＣを電話通信部１１から交換機３に送信させることにより、発信履歴取得要求処理を実行する。
【００４３】
すなわち、電話通信部１１及び電話通信制御部３５に加え、表示制御部３７をさらに有する電話通信処理部は、操作部１２による選択操作によって得られた選択乗員情報ＥＣを交換機３に送信する発信履歴取得要求処理をさらに実行する。
【００４４】
さらに、電話通信制御部３５は交換機３から電話通信部１１を介して選択乗員表示情報ＰＣを受けると、選択乗員表示情報ＰＣを表示制御部３７に転送する。
【００４５】
表示制御部３７は、選択乗員表示情報ＰＣが指示する発信履歴を表示部１３（所定の表示部）上に表示する表示処理を実行する。
【００４６】
すなわち、上記電話通信処理部は、選択乗員表示情報ＰＣに基づき、発信履歴を表示部１３上に表示する表示処理をさらに実行する。選択乗員表示情報ＰＣに基づく表示は、通常、発信履歴が新しい乗員から優先して表示する等が考えられる。また、選択乗員表示情報ＰＣに発信先別の発信頻度が含まれるときは、発信頻度が多い乗員から優先して表示するようにしても良い。
【００４７】
（利用例）
図４は本実施の形態の固定電話システムの利用例を示す説明図である。同図(a)は固定電話４ｉにおける操作部１２の操作画面（表示画面Ｇ１）を示しており、同図(b)は選択乗員表示情報ＰＣに基づく表示部１３の表示画面Ｇ２を示している。なお、図４で示す例では、タッチパネル機能等を利用することにより操作部１２と表示部１３とが一体化した例を示している。
【００４８】
同図(a) に示すように、表示画面Ｇ１は主として登録番号入力画面Ｇ１１、解除番号表示画面Ｇ１２及び画面変更ボタンＧ１３を有している。
【００４９】
乗員は固定電話４ｉが配置された部屋Ｒｉに入室すると、図示しないテンキー等の入力装置（仮想キーボードを含む）を用いて登録番号入力欄Ｇ１１ａに自身の乗員番号を入力し、入力後に登録ボタンＧ１１ｂを押圧することにより、登録目的のデータベース更新要求処理を行うことができる。
【００５０】
この場合、登録番号入力欄Ｇ１１ａに入力された情報が入力乗員情報Ｄ１２ａとなり、登録ボタンＧ１１ｂの押圧処理に応答して「登録」を指示する更新識別情報Ｄ１２ｂが生成される。
【００５１】
なお、同図(a)の登録番号入力画面Ｇ１１において、登録ボタンＧ１１ｂは操作部１２として機能し、それ以外は表示部１３として機能する。また、上述したテンキー等の入力装置は操作部１２に含まれる。
【００５２】
このように、登録番号入力欄Ｇ１１ａに新たに部屋Ｒｉに入室した乗員の乗員番号を上記入力装置を用いて入力した後、登録ボタンＧ１１ｂを押圧する処理が、操作部１２による入力操作（所定の操作）となる。この場合、更新用乗員情報ＲＣには登録を要求する乗員の乗員番号、更新種別（登録）及び登録要求元固定電話４ｒ（固定電話４ｉ自身）を指示する情報が含まれる。
【００５３】
同図(a) に示すように、乗員は固定電話４ｉが配置された部屋Ｒｉから退出する際、表示画面Ｇ２内に表示された個別解除番号欄Ｇ１２１ａ〜Ｇ１２４ａを参照し、個別解除ボタンＧ１２１ｂ〜Ｇ１２４ｂのうち、自身の乗員番号に対応するボタンを押圧することにより、解除目的のデータベース更新要求処理を行うことができる。
【００５４】
例えば、個別解除ボタンＧ１２３ｂを押圧した場合、押圧した個別解除番号欄Ｇ１２３ａに表示された情報（乗員番号）が入力乗員情報Ｄ１２ａとなり、個別解除ボタンＧ１２３ｂの押圧処理に応答して「解除」を指示する更新識別情報Ｄ１２ｂが生成される。
【００５５】
すなわち、部屋Ｒｉから退出する乗員の乗員番号が、個別解除番号欄Ｇ１２３ａに表示されたている場合、個別解除ボタンＧ１２３ｂを押圧する処理が、操作部１２による入力操作（所定の操作）となる。この場合、更新用乗員情報ＲＣには「解除」を要求する乗員の乗員番号、更新種別（解除）及び登録要求元固定電話４ｒ（固定電話４ｉ自身）を指示する情報が含まれる。
【００５６】
なお、同図(a)の解除番号表示画面Ｇ１２において、個別解除ボタンＧ１２１ｂ〜Ｇ１２４ｂは操作部１２として機能し、それ以外は表示部１３として機能する。
【００５７】
同図(a) で示す表示画面Ｇ１の画面変更ボタンＧ１３を押圧することにより、同図(b) に示すように、固定電話４ｉに対応づけられた発信元の乗員情報（選択乗員）の発信履歴を示す表示画面Ｇ２に切り替わる。この場合、画面変更ボタンＧ１３は操作部１２として機能する。
【００５８】
なお、固定電話４ｉに対応づけられた乗員が複数存在する場合、固定電話４ｉに対応づけられた複数の乗員のうち、固定電話４ｉから発信を要求する発信元乗員（選択乗員）を選択する処理を経た後、同図(b) に示す表示画面Ｇ２が表示される。
【００５９】
同図(b) に示すように、表示画面Ｇ２は乗員情報表示画面Ｇ２１、発信先情報表示画面Ｇ２２及び画面変更ボタンＧ２３を主要構成として含んでいる。
【００６０】
乗員情報表示画面Ｇ２１は乗員番号表示欄Ｇ２１ａ及び乗員名表示欄Ｇ２１ｂを有し、乗員番号表示欄Ｇ２１ａに発信元乗員（選択乗員）の乗員番号が表示され、乗員名表示欄Ｇ２１ｂには発信元乗員の乗員名が表示される。この場合、乗員情報表示画面Ｇ２１は表示部１３として機能する。
【００６１】
同図(b) に示すように、発信先情報表示画面Ｇ２２において、個別発信者情報表示欄Ｇ２２１ａ〜Ｇ２２４ａに、選択乗員であるＡさんの発信履歴情報が表示される。すなわち、表示制御部３７による選択乗員表示情報ＰＣに基づく表示処理が表示部１３上で実行される。
【００６２】
個別発信者情報表示欄Ｇ２２１ａ〜Ｇ２２４ａで示す発信履歴情報としては発信相手（発信先）の名称、対応する固定電話の電話番号、対応する固定電話が配置された部屋の名称、対応する固定電話の状態（話中、発信可）が含まれる。発信先情報表示画面Ｇ２２において、個別発信ボタンＧ２２１ｂ〜Ｇ２２４ｂが操作部１２として機能し、それ以外は表示部１３として機能する。
【００６３】
この場合、発信元となる乗員（Ａ）は、個別発信者情報表示欄Ｇ２２１ａ〜Ｇ２２４ａで表示された発信先候補となる乗員（Ｂ〜Ｅ）に対応する個別発信ボタンＧ２２１ｂ〜Ｇ２２４ｂのうち、一のボタンを押圧することにより、発信先乗員を選択することができる。
【００６４】
例えば、乗員Ａが発信可能な乗員Ｅ（通話相手）との通話を所望する場合、個別発信ボタンＧ２２４ｂを押圧することにより、乗員Ｅの乗員番号を指示する発信先乗員情報ＴＣを送信することができる。
【００６５】
同図(b) で示す表示画面Ｇ２の画面変更ボタンＧ２３を押圧することにより、同図(a) に示す表示画面Ｇ１に戻すことができる。画面変更ボタンＧ２３は操作部１２として機能する。
【００６６】
（効果等）
本実施の形態である固定電話システムにおいて、固定電話４ｉから、通話相手の乗員を指示する発信先乗員情報ＴＣを交換機３に送信することにより、電話交換処理を実行することができるため、通話を所望する発信元の乗員は、通話相手となる発信先の乗員が部屋Ｒ１〜Ｒ７のいずれに存在するかを認識する必要なく、発信先乗員と通話を行うことができる。
【００６７】
したがって、本実施の形態の固定電話システムは、船舶１内において部屋Ｒ１〜Ｒ７間を移動する度合の高い複数の乗員間における通話を、通話を所望する乗員に負担を掛けることなく比較的簡単に実現することができる効果を奏する。
【００６８】
さらに、交換機３のデータベース更新部３２は、操作部１２よる入力操作等の所定の操作によって得られた更新用乗員情報ＲＣに基づき、乗員−固定電話データベースＤＢ１内の乗員・固定電話情報Ｄ１を更新するため、常に最新の内容に乗員・固定電話情報Ｄ１を維持することにより、交換機３は発信先固定電話４ｙを誤ることなく精度の高い電話交換処理を実行することができる。したがって、発信元乗員は、発信先乗員が入室している部屋の固定電話を確実に呼び出すことができる。
【００６９】
また、本実施の形態では、操作部１２による入力操作によって入力乗員情報Ｄ１２ａ及び更新識別情報Ｄ１２ｂを得るという比較的簡単な操作により、更新用乗員情報ＲＣを得ることができる。
【００７０】
さらに、本実施の形態の固定電話システムは、選択乗員表示情報ＰＣに基づく表示処理が行えるため、乗員は固定電話４１〜４７のいずれを利用する際にも、固定電話４ｉの表示部１３上において、自身の発信履歴を認識することができる。
【００７１】
（他の態様）
上述した実施の形態では、電話通信制御部３５は操作部１２から得た入力乗員情報Ｄ１２ａ及び更新識別情報Ｄ１２ｂを含む情報を更新用乗員情報ＲＣとしていた。他の態様では、ＩＣカード読取部１４ｉからの事前登録乗員情報Ｄ１４ａ及び更新識別情報Ｄ１４ｂを含む情報を更新用乗員情報ＲＣとしている。
【００７２】
実施の形態の他の態様を実現すべく、複数の乗員に対応した複数のＩＣカード（乗員識別カード）が予め準備され、複数のＩＣカードそれぞれには、複数の乗員のうち対応する乗員を指示する乗員番号が事前登録乗員情報Ｄ１４ａとして予め登録されている。
【００７３】
ＩＣカード読取部１４１〜１４７（複数のカード読取部）は固定電話４１〜４７に１対１に対応して設けられる。具体的には、各ＩＣカード読取部１４ｉ（ｉ＝１〜７のいずれか）は対応する固定電話４ｉに接続されている。
【００７４】
ＩＣカード読取部１４ｉ（固定電話４ｉに対応するカード読取部）によってＩＣカードに登録された事前登録乗員情報Ｄ１４ａを読み取らせる読取動作（所定の操作）を実行することにより、ＩＣカード読取部１４ｉは事前登録乗員情報Ｄ１４ａを出力することができる。読取動作として動作内容が異なる第１及び第２の読取動作があり、第１の読取動作の実行時には事前登録乗員情報Ｄ１４ａと共に「（新規）登録」を指示する更新識別情報Ｄ１４ｂが出力され、第２の読取動作の実行時には事前登録乗員情報Ｄ１４ａと共に「解除」を指示する更新識別情報Ｄ１４ｂが出力される。
【００７５】
なお、第１の読取動作としてはＩＣカード読取部１４ｉに設けられた「登録ボタン」（図示せず）を押した後に上記読取動作を行う、第２の読取動作としてはＩＣカード読取部１４ｉに設けられた「解除ボタン」（図示せず）を押した後に上記読取動作を行う等の態様が考えられる。
【００７６】
乗員情報送信部３６は、ＩＣカード読取部１４ｉに接続される。したがって、乗員情報送信部３６は、事前登録乗員情報Ｄ１４ａ及び更新識別情報Ｄ１４ｂをＩＣカード読取部１４ｉより受け、事前登録乗員情報Ｄ１４ａ及び更新識別情報Ｄ１４ｂを含む更新用乗員情報ＲＣを電話通信制御部３５に出力することができる。
【００７７】
そして、電話通信制御部３５は更新用乗員情報ＲＣを電話通信部１１から交換機３に送信させることにより、データベース更新要求処理を実行する。
【００７８】
したがって、交換機３のデータベース更新部３２は、更新用乗員情報ＲＣ内の更新識別情報Ｄ１４ｂに基づき、登録処理及び解除処理のうち一方を実行して乗員・固定電話情報Ｄ１を更新することができる。
【００７９】
このように、実施の形態の他の態様のように、操作部１２でなくＩＣカード読取部１４ｉを用いて更新用乗員情報ＲＣを取得するように構成しても良い。
【００８０】
すなわち、電話通信部１１及び電話通信制御部３５に加え、別途設けたＩＣカード読取部１４ｉに接続される乗員情報送信部３６をさらに有する電話通信処理部は、ＩＣカード読取部１４ｉによってＩＣカードに登録された事前登録乗員情報Ｄ１４ａと、第１あるいは第２の読取動作（所定の操作）によって得られた更新識別情報Ｄ１４ｂとを含む更新用乗員情報ＲＣを交換機３に送信することにより、データベース更新要求処理をさらに実行することができる。
【００８１】
実施の形態の他の態様の固定電話システムはでは、ＩＣカード読取部１４ｉ（固定電話４ｉに対応するカード読取部）によってＩＣカード（乗員識別カード）に登録された事前登録乗員情報Ｄ１４ａを読み取らせる第１あるいは第２の読取動作を実行するという至極簡単な操作により、更新用乗員情報ＲＣを得ることができる。
【００８２】
なお、ＩＣカード読取部１４ｉによる第１及び第２の読取動作と共に、操作部１２による入力操作も併せて実行可能にすることにより、データベース更新要求処理のバリエーションを高めるようにしても良い。
【００８３】
＜その他＞
本実施の形態において、交換機３内の電話交換制御部３１、データベース更新部３２及びデータベース情報抽出部３３は、例えば、ソフトウェアに基づくＣＰＵを用いたプログラム処理によって実行するようにしても良い。同様にして、固定電話４ｉ内の電話通信制御部３５、乗員情報送信部３６及び表示制御部３７は、例えば、ソフトウェアに基づくＣＰＵを用いたプログラム処理によって実行するようにしても良い。
【００８４】
また、交換機３内の乗員−固定電話データベースＤＢ１及び乗員−発信記録データベースＤＢ２は、ＨＤＤ、ＤＶＤ、メモリなどによって構成される。
【００８５】
本実施の形態では、交換機３内の電話交換処理部として、電話交換実行部１０及び電話交換制御部３１の組合せ構成を示したが、これらを一体化して構成しても良い。
【００８６】
また、本実施の形態では、固定電話４ｉ内の電話通信処理部として、電話通信部１１、電話通信制御部３５、乗員情報送信部３６及び表示制御部３７の組合せ構成を示したが、これらの一部または全部を一体化して構成しても良い。
【００８７】
なお、図４ではタッチパネル機能等により操作部１２と表示部１３とが一体化された構成を示したが、操作部１２及び表示部１３を分離して設けても良い。
【００８８】
また、実施の形態の他の態様では、ＩＣカード読取部１４ｉが固定電話４ｉの外部に接続される構成を示したが、固定電話４ｉにＩＣカード読取部１４ｉを内蔵するように構成しても良い。
【００８９】
また、本実施の形態では、更新用乗員情報ＲＣ内に更新識別情報Ｄ１２ｂ（Ｄ１４ｂ）を含ませたが、更新識別情報Ｄ１２ｂを含ませることなく、常に最新の登録を優先させる対応も考えられる。
【００９０】
例えば、更新用乗員情報ＲＣが乗員Ａを指示し、登録要求元固定電話４ｒが固定電話４６であり、乗員・固定電話情報Ｄ１内で乗員Ａと固定電話４３との対応づけが既になされている場合、乗員Ａと固定電話４６との対応づけの新視登録と、乗員Ａと固定電話４３との対応づけの解除とを同時に実行するようにしても良い。
【００９１】
なお、本発明は、その発明の範囲内において、実施の形態を適宜、変形、省略することが可能である。
【符号の説明】
【００９２】
１  船舶
２  船内ネットワーク
３  交換機
１０  電話交換実行部
１１  電話通信部
１２  操作部
１３  表示部
１４ｉ  ＩＣカード読取部
３１  電話交換制御部
３２  データベース更新部
３３  データベース情報抽出部
３５  電話通信制御部
３６  乗員情報送信部
３７  表示制御部
４１〜４７，４ｉ  固定電話
ＤＢ１  乗員−固定電話データベース
ＤＢ２  乗員−発信記録データベース
Ｒ１〜Ｒ７，Ｒｉ  部屋
【図１】
0006502237.tif 000002
【図２】
0006502237.tif 000003
【図３】
0006502237.tif 000004
【図４】
0006502237.tif 000005